(57)【要約】      （修正有）【課題】伝送用ケーブルの数量を軽減することができる電力監視制御システム、電力監視制御用電源装置及び電力監視制御装置を提供する。【解決手段】電力監視制御用電源装置２は、電力の監視を行う中央監視装置７と伝送信号の送受信を行う第１の送受信部と、電源電圧の供給を行う電源電圧出力部と、第１の送受信部により送受信された中央監視装置７との伝送信号に基づき、電源電圧出力部により供給される電源電圧に伝送信号を重畳させ、電力線搬送にて伝送信号の送受信を行う第２の送受信部と、を有する。電力監視制御装置３ａ〜３ｎは、電力監視制御用電源装置２により電源電圧が供給され、電源電圧に重畳された伝送信号により、電力線搬送にて送受信を行う第３の送受信部と、第３の送受信部により送受信された伝送信号に基づき受配電設備６ａ〜６ｎの監視制御を行う入出力部と、を有する。【選択図】図１
2019062620.tif 000002
【特許請求の範囲】
【請求項１】
電力の監視を行う中央監視装置と伝送信号の送受信を行う第１の送受信部と、
電源電圧の供給を行う電源電圧出力部と、
前記第１の送受信部により送受信された前記中央監視装置との伝送信号に基づき、前記電源電圧出力部により供給される電源電圧に伝送信号を重畳させ、電力線搬送にて伝送信号の送受信を行う第２の送受信部と、
を備えた電力監視制御用電源装置と、
前記電力監視制御用電源装置により前記電源電圧が供給され、
前記電源電圧に重畳された伝送信号により、電力線搬送にて送受信を行う第３の送受信部と、
前記第３の送受信部により送受信された伝送信号に基づき受配電設備の監視制御を行う入出力部と、
を備えた電力監視制御装置と、
を有する電力監視制御システム。
【請求項２】
前記電力監視制御装置は、供給された前記電源電圧の監視を行う電源監視部をさらに備える、
請求項１に記載の電力監視制御システム。
【請求項３】
前記電力監視制御装置は、第３の送受信部による受信が行われない場合に、前記電源電圧が異常であると判断する、
請求項１に記載の電力監視制御システム。
【請求項４】
電力の監視を行う中央監視装置と伝送信号の送受信を行う第１の送受信部と、
電源電圧の供給を行う電源電圧出力部と、
前記第１の送受信部により送受信された前記中央監視装置との伝送信号に基づき、前記電源電圧出力部により供給される電源電圧に伝送信号を重畳させ、電力線搬送にて伝送信号の送受信を行う第２の送受信部と、
を備えた電力監視制御用電源装置。
【請求項５】
電力監視制御用電源装置により電源電圧が供給され、
前記電源電圧に重畳された伝送信号により、電力線搬送にて送受信を行う送受信部と、
前記送受信部により送受信された伝送信号に基づき電力設備の監視制御を行う入出力部と、
を備えた電力監視制御装置。
【発明の詳細な説明】
【技術分野】
【０００１】
本実施形態は電力系統の監視を行う電力監視制御システム、電力監視制御用電源装置および電力監視制御装置に関する。
【背景技術】
【０００２】
電力を安定供給するために電力系統に電力監視制御装置が設置される。この種の電力監視制御装置としては、送変電設備の電気量を計測し、電力系統に設置された各受配電設備機器および電力系統の故障を検出する電力監視制御装置が知られている。
【先行技術文献】
【特許文献】
【０００３】
【特許文献１】特開２０１６−０２５７９９公報
【特許文献２】特開２００６−０１３７０３公報
【特許文献３】特開２００２−２３３０８２公報
【特許文献２】特開２０００−０４８９６９公報
【発明の概要】
【発明が解決しようとする課題】
【０００４】
電力監視制御装置は、電力を安定供給するため、電力系統に設置された各受配電設備機器および電力系統（以降、受配電設備と総称するものとする）の故障を検出する。電力監視制御装置において受配電設備の故障が検出された場合、故障が発生した旨の信号が、中央監視装置に送信される。また、中央監視装置から、故障に対応する指示が、電力監視制御装置に送信される。
【０００５】
しかしながら、電力監視制御装置と中央監視装置間の伝送は、一般的には専用線である伝送用ケーブルを介して行われる。電力監視制御装置は、複数の受配電設備の状態、故障、計測値の監視を行うとともに、制御を行う。さらに、一つの電力監視制御システムは、通常複数の電力監視制御装置を備える。その結果、電力監視制御装置と中央監視装置間の伝送を行うために、多数の伝送用ケーブルが用いられる。
【０００６】
従来の電力監視制御システムには、多数の伝送用ケーブルが用いられるため、ケーブルの材料費のみならず、ケーブルの施工、ケーブルを敷設するためのケーブルラックやケーブルピット等の施工等に多くのコストおよび作業が必要とされる、との問題点があった。
【０００７】
また、多数の伝送用ケーブルが用いられるため、伝送用ケーブルにおける断線等の故障頻度が高くなることが懸念される。伝送用ケーブルの故障が発生した場合、電力監視制御装置と中央監視装置間の伝送を行うことができなくなり、その結果、電力監視制御装置に対し、伝送による適切な指示を行うことができなくなる。また、多数の伝送用ケーブルが用いられるため、故障個所を特定するのに時間と手間を要する。多数の伝送用ケーブルが用いられることにより、伝送用ケーブルの故障頻度が高くなる、ケーブルの修理に多大な時間と手間が必要とされる、との問題点があった。
【０００８】
本実施形態は、上記問題点を解決するために、伝送用ケーブルの数量を軽減することができる電力監視制御システム、電力監視制御用電源装置、電力監視制御装置を提供することを目的とする。
【課題を解決するための手段】
【０００９】
本実施形態の電力監視制御システムは、次のような構成を有することを特徴とする。
（１）次のような構成を備えた電力監視制御用電源装置。
（１−１）電力の監視を行う中央監視装置と伝送信号の送受信を行う第１の送受信部。
（１−２）電源電圧の供給を行う電源電圧出力部。
（１−３）第１の送受信部により送受信された中央監視装置との伝送信号に基づき、電源電圧出力部により供給される電源電圧に伝送信号を重畳させ、電力線搬送にて伝送信号の送受信を行う第２の送受信部。
【００１０】
（２）次のような構成を備えた電力監視制御装置。
（２−１）電力監視制御用電源装置により電源電圧が供給され、電源電圧に重畳された伝送信号により、電力線搬送にて送受信を行う第３の送受信部。
（２−２）第３の送受信部により送受信された伝送信号に基づき受配電設備の監視制御を行う入出力部。
また、上記の電力監視制御用電源装置、電力監視制御装置も本実施形態に含まれる。
【図面の簡単な説明】
【００１１】
【図１】第１実施形態にかかる電力監視制御システムを示す図
【図２】第１実施形態にかかる電力監視制御用電源装置の構成を示す図
【図３】第１実施形態にかかる電力監視制御装置の構成を示す図
【図４】第１実施形態にかかる電力監視制御装置のプログラムフローを示す図
【図５】第１実施形態にかかる電力監視制御用電源装置のプログラムフローを示す図
【発明を実施するための形態】
【００１２】
［１．第１実施形態］
［１−１．構成］
図１〜３を参照して本実施形態の一例としての電力監視制御システムについて説明する。
【００１３】
（１）電力監視制御システムの全体構成
本電力監視制御システム１は、電力監視制御用電源装置２、電力監視制御装置３（３ａ、３ｂ、３ｎ）を有する。電力監視制御用電源装置２は、通信回線８を介し、中央制御装置７に接続される。電力監視制御装置３（３ａ、３ｂ、３ｎ）は、受配電設備６（６ａ、６ｂ、６ｎ）に接続される。電力監視制御用電源装置２と電力監視制御装置３（３ａ、３ｂ、３ｎ）は、電力供給線４（４ａ、４ｂ、４ｎ）により接続される。
【００１４】
本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字を付けることで区別する。
【００１５】
電力監視制御システム１において、以下のデータが、入力、出力、送受信または記憶される。
データＤ１．受配電設備６の運転状況に関する情報
データＤ２．受配電設備６を制御するコマンド
【００１６】
（電力監視制御用電源装置２）
電力監視制御用電源装置２は、蓄電池等に蓄えられた電力を、電力監視制御装置３用の電圧に変換し出力する電源装置である。電力監視制御用電源装置２は、電力監視制御装置３に停電なく電源用の電力を供給する。電力監視制御用電源装置２は、電力監視制御装置３が設置された配電室等に設置される。
【００１７】
電力監視制御用電源装置２から出力される電圧は、交流または直流である。電力監視制御装置３は、電力監視制御用電源装置２から電力供給線４を介し供給された電圧により駆動される。電力監視制御用電源装置２から出力される電源電圧は、バックアップ用の電源電圧であってもよい。
【００１８】
また、電力監視制御用電源装置２は、電力監視制御装置３との間で伝送信号の送受信を行う。伝送信号は、電力監視制御用電源装置２から電力供給線４を介し供給された電力監視制御装置３を駆動するための電源電圧に重畳され、電力線搬送にて伝送される。
【００１９】
電力監視制御用電源装置２は、電力供給線４を介し、電力線搬送にかかる伝送信号にて電力監視制御装置３から、データＤ１を受信する。電力監視制御用電源装置２は、通信回線８を介し中央制御装置７に対し、データＤ１を送信する。
【００２０】
電力監視制御用電源装置２は、通信回線８を介し中央制御装置７から、データＤ２を受信する。電力監視制御用電源装置２は、電力供給線４を介し、電力線搬送にかかる伝送信号にて電力監視制御装置３に対し、データＤ２を送信する。
【００２１】
電力監視制御用電源装置２は、電力供給線４を介し電力監視制御装置３からデータＤ１を受信する。電力監視制御用電源装置２は、通信回線８を介し中央制御装置７に対し、データＤ１を送信する。
【００２２】
（電力監視制御装置３）
電力監視制御装置３は、マイクロコンピュータ等により構成された装置である。電力監視制御装置３は、受配電設備６からデータＤ１を受信し、受配電設備６を制御する。データＤ１にかかる受配電設備６の運転状況に関する情報とは、受配電設備６の運転の状態に関する情報、受配電設備６の故障に関する情報、受配電設備６の計測値に関する情報等である。電力監視制御装置３は、受配電設備６とともに、配電室等の収納盤５に格納される。
【００２３】
電力監視制御装置３は、電力供給線４を介し電力監視制御用電源装置２から供給された電源電圧を電源として動作する。
【００２４】
また、電力監視制御装置３は、電力監視制御用電源装置２との間で伝送信号の送受信を行う。伝送信号は、電力監視制御用電源装置２から、電力供給線４を介し供給された電力監視制御装置３を駆動するための電源電圧に重畳され、電力線搬送にて伝送される。
【００２５】
電力監視制御装置３は、電力供給線４を介し、電力線搬送にかかる伝送信号にて電力監視制御用電源装置２に対し、データＤ１を送信する。
【００２６】
電力監視制御装置３は、電力供給線４を介し、電力線搬送にかかる伝送信号にて電力監視制御用電源装置２からデータＤ２を受信する。電力監視制御装置３は、受配電設備６に対し、指令データＤ２を送信する。
【００２７】
（電力供給線４）
電力供給線４は、銅等の導電材料により構成された、電力供給用の導線である。電力供給線４は、一端が電力監視制御用電源装置２に、他端が電力監視制御装置３に接続される。電力供給線４は、電力監視制御用電源装置２から出力される電源電圧を電力監視制御装置３に供給する。また、電力供給線４は、電力監視制御用電源装置２と電力監視制御装置３間で送受信される、電源電圧に重畳された伝送信号を、電力線搬送にて伝達する。
【００２８】
（受配電設備６）
受配電設備６は、開閉器、遮断器、断路器、計器用変圧器変流器、計測器、制御機器等の電力保護管理用の設備である。受配電設備６は、電力監視制御装置３に接続され、監視制御される。受配電設備６は、電力の給電線に配置され、電力監視制御装置３とともに、配電室等の収納盤５に格納される。
【００２９】
受配電設備６は、電力監視制御装置３に、データＤ１を送信する。データＤ１の受配電設備６の運転状況に関する情報とは、受配電設備６の運転の状態に関する情報、受配電設備６の故障に関する情報、受配電設備６の計測値に関する情報等である。また、受配電設備６は、電力監視制御装置３から、データＤ２を受信する。
【００３０】
（中央制御装置７）
中央監視装置７は、大型の表示装置がコンソールに収納された電力系統の監視制御を行うための装置である。中央監視装置７は、具体的には主回路機器の制御を行う連動ＰＬＣ（プログラマブルロジックコントロール）盤、系統保護を行う保護継電器盤、系統の電気量を計測する計測盤等の機器である。
【００３１】
中央監視装置７は、通信回線８を介し電力監視制御用電源装置２から、データＤ１を受信する。中央制御装置７は、通信回線８を介し電力監視制御用電源装置２に対しデータＤ２を送信する。
【００３２】
（通信回線８）
通信回線８は、社内イントラネット、インターネット等により構成された通信回線である。通信回線８は、電力監視制御用電源装置２および中央監視装置７に接続され、データＤ１およびデータＤ２の送受信に使用される。
【００３３】
（２）電力監視制御用電源装置２の構成
電力監視制御用電源装置２は、電力監視制御装置３に停電なく電源用の電力を供給する電源装置である。電力監視制御用電源装置２は、送受信部２１、電源電圧出力部２２、送受信部２３、制御部２４を有する。送受信部２１が請求項における第１の送受信部に、送受信部２３が請求項における第２の送受信部に相当する。
【００３４】
（送受信部２１）
送受信部２１は、インターネット等の通信回線８との送受信回路により構成される。送受信部２１は、電力監視制御用電源装置２外部の通信回線８に接続される。送受信部２１は、送受信を制御部２４に制御される。送受信部２１は、通信回線８を介し中央制御装置７により送信されたデータＤ２を受信し、制御部２４に出力する。送受信部２１は、通信回線８を介し中央制御装置７に対し、データＤ１を送信する。
【００３５】
（送受信部２３）
送受信部２３は、電力線搬送の送受信回路により構成される。送受信部２３は、電力監視制御用電源装置２外部の電力供給線４に接続される。送受信部２３は、送受信を制御部２４に制御される。
【００３６】
送受信部２３は、電力供給線４に伝送信号を重畳させ電力線搬送により、電力監視制御装置３に対し、データＤ２を送信する。送受信部２３は、電力監視制御装置３から送信されたデータＤ１を受信する。データＤ１は、電力監視制御装置３から、電力供給線４に重畳された電力線搬送による伝送信号にて送信される。送受信部２３は、受信したデータＤ１を、制御部２４に出力する
【００３７】
（電源電圧出力部２２）
電源電圧出力部２２は、蓄電池等を電源とする電源回路により構成された無停電電源装置である。電源電圧出力部２２は、制御部２４に制御され、蓄電池等に蓄えられた電力を、電力監視制御装置３用の電圧に変換し出力する。
【００３８】
電源電圧出力部２２から出力される電圧は、交流または直流である。電力監視制御装置３は、電源電圧出力部２２から電力供給線４を介し供給された電源電圧により駆動される。また、電源電圧出力部２２から供給される電源電圧には、電力監視制御用電源装置２と電力監視制御装置３間で電力線搬送にて送受信されるデータＤ１、データＤ２にかかる伝送信号が重畳される。
【００３９】
（制御部２４）
制御部２４は、マイクロコンピュータにより構成される。制御部２４は、後述するコンピュータプログラムを内蔵する。制御部２４は、送受信部２１、電源電圧出力部２２、送受信部２３に接続される。制御部２４は、送受信部２１、電源電圧出力部２２、送受信部２３に対し、以下の演算および制御を行う。
【００４０】
（Ａ１）送受信部２１に対する制御
制御部２４は、通信回線８を介し中央制御装置７により送信されたデータＤ２を受信するように、送受信部２１を制御する。また、制御部２４は、通信回線８を介し中央制御装置７に対しデータＤ１を送信するように、送受信部２１を制御する。制御部２４は、電力監視制御装置３から受信したデータＤ１を、通信回線８用の伝送フォーマット、伝送速度に変換する。
【００４１】
（Ａ２）送受信部２３に対する制御
制御部２４は、電力監視制御装置３から送信されたデータＤ１を受信するように、送受信部２３を制御する。データＤ１は、電力監視制御装置３から、電力供給線４に重畳された電力線搬送による伝送信号にて送信される。
【００４２】
また、制御部２４は、電力供給線４に伝送信号を重畳させ電力線搬送により、電力監視制御装置３に対し、データＤ２を送信するように、送受信部２３を制御する。制御部２４は、通信回線８を介し中央制御装置７から受信したデータＤ２を、電力線搬送用の伝送フォーマット、伝送速度に変換する。
【００４３】
（Ａ３）電源電圧出力部２２に対する制御
制御部２４は、蓄電池等に蓄えられた電力を、電力監視制御装置３用の電圧に変換し出力するように、電源電圧出力部２２を制御する。
【００４４】
（３）電力監視制御装置３の構成
電力監視制御装置３は、受配電設備６を制御する監視制御装置である。電力監視制御装置３は、受配電設備６からデータＤ１を受信し、電力監視制御用電源装置２に対しデータＤ１を送信する。電力監視制御装置３は、電力監視制御用電源装置２からデータＤ２を受信するとともに、受配電設備６に対しデータＤ２を送信する。電力監視制御装置３は、電源部３１、送受信部３２、電源監視部３３、入出力部３４、制御部３５を有する。送受信部３２が請求項における第３の送受信部に相当する。
【００４５】
（電源部３１）
電源部３１は、トランジスタによるスイッチング回路等により構成された電源回路である。電源部３１は、電力供給線４に接続される。電源部３１は、電力供給線４を介し電力監視制御用電源装置２から供給された電源電圧を、電力監視制御装置３内部用の電源電圧に変換する。電源部３１は、変換した内部用の電源電圧を、電力監視制御装置３を構成する各部に供給する。
【００４６】
（送受信部３２）
送受信部３２は、電力線搬送の送受信回路により構成される。送受信部３２は、電力監視制御装置３外部の電力供給線４に接続される。送受信部３２は、送受信を制御部３５に制御される。
【００４７】
送受信部３２は、電力供給線４に伝送信号を重畳させ電力線搬送により、電力監視制御用電源装置２に対し、データＤ１を送信する。送受信部３２は、電力監視制御用電源装置２から送信されたデータＤ２を受信する。データＤ２は、電力監視制御用電源装置２から、電力供給線４に重畳された電力線搬送による伝送信号にて送信される。送受信部３２は、受信したデータＤ２を、制御部３５に出力する。
【００４８】
（電源監視部３３）
電源監視部３３は、電力線搬送にかかる伝送信号のキャリア検出回路により構成される。電源監視部３３は、電力供給線４に接続される。電源監視部３３は、電力供給線４の電源電圧に重畳された、電力線搬送にかかる伝送信号のキャリアを一定時間受信しないか検出し、制御部３５に出力する。電源監視部３３が、電力線搬送にかかる伝送信号のキャリアを一定時間受信しない場合、制御部３５により、電力監視制御用電源装置２から出力される電源が喪失されたものと判断される。
【００４９】
（入出力部３４）
入出力部３４は、カレントループ回路等の送受信回路により構成される。入出力部３４は、受配電設備６に接続される。入出力部３４は、送受信を制御部３５に制御される。
【００５０】
入出力部３４は、受配電設備６により送信されたデータＤ１を受信する。入出力部３４は、受配電設備６に対し、データＤ２を送信する。受配電設備６は受信したデータＤ２により動作が制御される。
【００５１】
（制御部３５）
制御部３５は、マイクロコンピュータにより構成される。制御部３５は、後述するコンピュータプログラムを内蔵する。制御部３５は、電源部３１、送受信部３２、電源監視部３３、入出力部３４に接続される。制御部３５は、電源部３１、送受信部３２、電源監視部３３、入出力部３４、に対し、以下の演算および制御を行う。
【００５２】
（Ｂ１）電源部３１に対する制御
制御部３５は、電力供給線４を介し電力監視制御用電源装置２から供給された電源電圧を、電力監視制御装置３内部用の電源電圧に変換し、各部に供給するように、電源部３１を制御する。
【００５３】
（Ｂ２）送受信部３２に対する制御
制御部３５は、電力監視制御用電源装置２から送信されたデータＤ２を受信するように、送受信部３２を制御する。データＤ２は、電力監視制御用電源装置２から、電力供給線４に重畳された電力線搬送による伝送信号にて送信される。
【００５４】
また、制御部３５は、電力供給線４に伝送信号を重畳させ電力線搬送により、電力監視制御用電源装置２に対し、データＤ１を送信するように、送受信部３２を制御する。制御部３５は、受配電設備６から受信したデータＤ１を、電力線搬送用の伝送フォーマット、伝送速度に変換する。
【００５５】
（Ｂ３）電源監視部３３に対する制御
制御部３５は、電力供給線４の電源電圧に重畳された、電力線搬送にかかる伝送信号のキャリアを一定時間受信しないかの検出を行うように、電源監視部３３を制御する。電源監視部３３が、電力線搬送にかかる伝送信号のキャリアを一定時間受信しない場合、制御部３５により、電力監視制御用電源装置２から出力される電源が喪失されたものと判断される。
【００５６】
（Ｂ４）入出力部３４に対する制御
制御部３５は、受配電設備６により送信されたデータＤ１を受信するように、入出力部３４を制御する。また、制御部３５は、受配電設備６に対し、データＤ２を送信するように、入出力部３４を制御する。受配電設備６は受信したデータＤ２により動作が制御される。
【００５７】
［１−２．作用］
次に、本実施形態の電力監視制御システム１の作用を、図１〜図５に基づき説明する。
【００５８】
［Ａ．電力監視制御装置３の動作］
電力監視制御装置３は、電力供給線４を介し電力監視制御用電源装置２から供給された電源電圧を電源として動作する。電力監視制御装置３の電源部３１は、電力供給線４を介し電力監視制御用電源装置２から供給された電源電圧を、電力監視制御装置３内部用の電源電圧に変換する。電源部３１は、変換した内部用の電源電圧を、電力監視制御装置３を構成する各部に供給する。
【００５９】
電力監視制御装置３は、図４に示すプログラムに従って動作を行う。以下に電力監視制御装置３ａの動作を図４に示すプログラムに沿って説明する。電力監視制御装置３ｂ、３ｎの動作も同様である。図４に示すプログラムは、制御部３５に内蔵される。図４に示すプログラムは、制御部３５により、繰り返し実行される。
【００６０】
（ステップＳ０１：受配電設備６からデータＤ１を受信したかの判断を行う）
制御部３５は、受配電設備６からデータＤ１を、入出力部３４が受信したかの判断を行う。データＤ１の受配電設備６の運転状況に関する情報は、受配電設備６の運転の状態に関する情報、受配電設備６の故障に関する情報、受配電設備６の計測値に関する情報等を含む。データＤ１は、常時、受配電設備６から送信される。
【００６１】
データＤ１を受信したと判断した場合（ステップＳ０１のＹＥＳ）、ステップＳ０２に移行する。データＤ１を受信したと判断しない場合（ステップＳ０１のＮＯ）、プログラムを終了する。
【００６２】
（ステップＳ０２：電源装置２にデータＤ１の送信を行う）
ステップＳ０１にてデータＤ１を受信したと判断された場合、制御部３５は、電力監視制御用電源装置２に対し、送受信部３２からデータＤ１の送信を行う。制御部３５は、受配電設備６から受信したデータＤ１を、電力線搬送用の伝送フォーマット、伝送速度に変換する。変換されたデータＤ１は、電力供給線４に伝送信号を重畳させた電力線搬送により送信される。
【００６３】
（ステップＳ０３：電源装置２からデータＤ２を受信したかの判断を行う）
次に、制御部３５は、電力監視制御用電源装置２からデータＤ２を、送受信部３２が受信したかの判断を行う。データＤ２の受配電設備６を制御するコマンドは、ステップＳ０２にて送信されたデータＤ１に応答する形で、電力監視制御用電源装置２から送信される。
【００６４】
データＤ２には、受配電設備６である開閉器や遮断器の開閉を指示するコマンド等が含まれる。データＤ２は、電力供給線４に伝送信号を重畳させた電力線搬送により送信される。データＤ２は、一定時間内に電力監視制御用電源装置２から送信される。
【００６５】
データＤ２を受信したと判断した場合（ステップＳ０３のＹＥＳ）、ステップＳ０４に移行する。データＤ２を受信したと判断しない場合（ステップＳ０３のＮＯ）、ステップＳ０５に移行する。
【００６６】
（ステップＳ０４：受配電設備６にデータＤ２の送信を行う）
ステップＳ０３にてデータＤ２を受信したと判断された場合、制御部３５は、受配電設備６に対し、入出力部３４からデータＤ２の送信を行う。制御部３５は、電力監視制御用電源装置２から、電力線搬送用の伝送フォーマット、伝送速度にて受信したデータＤ２を、受配電設備６送信用の伝送フォーマット、伝送速度に変換する。変換されたデータＤ２は、電力監視制御装置３と受配電設備６との間に設けられた専用線を介し、受配電設備６に送信される。
【００６７】
（ステップＳ０５：電力線搬送にかかる伝送信号のキャリアを一定時間受信しないかの判断を行う）
次に、制御部３５は、電力供給線４の電源電圧に重畳された、電力線搬送にかかる伝送信号のキャリアを、電源監視部３３により一定時間受信しないかの判断を行う。データＤ２は、ステップＳ０２にて送信されたデータＤ１に応答する形で、電力監視制御用電源装置２から送信されることは前述のとおりである。制御部３５は、電力供給線４の電源電圧に重畳された、データＤ２の電力線搬送にかかる伝送信号のキャリアを、電源監視部３３により一定時間受信しない場合、電力監視制御用電源装置２から出力される電源が喪失されたものと判断する。
【００６８】
電力線搬送にかかる伝送信号のキャリアを一定時間受信しないと判断した場合（ステップＳ０５のＹＥＳ）、ステップＳ０６に移行する。電力線搬送にかかる伝送信号のキャリアを一定時間受信しないと判断しない場合（ステップＳ０５のＮＯ）、プログラムを終了する。
【００６９】
（ステップＳ０６：受配電設備６に指令の送信を行う）
ステップＳ０５にて電力線搬送にかかる伝送信号のキャリアを一定時間受信しないと判断された場合、制御部３５は、入出力部３４から受配電設備６に対し、フェールセーフとなる指令の送信を行う。
【００７０】
データＤ２には、受配電設備６である開閉器や遮断器の開閉を指示するコマンド等が含まれる。しかしながら電力監視制御用電源装置２から出力される電源が喪失された場合、データＤ２による受配電設備６の適切な制御を行うことができなくなる。
【００７１】
そこで、データＤ２を一定時間受信しないと判断した場合、制御部３５は、受配電設備６に対し、受配電設備６である開閉器や遮断器の開閉を安全である状態となるように指示するコマンド、つまりフェールセーフとなる指令の送信を行う。フェールセーフとなる指令は、電力監視制御装置３と受配電設備６との間に設けられた専用線を介し、受配電設備６に送信される。
【００７２】
なお、電力監視制御装置３は、小容量の蓄電池またはコンデンサ（図中不示）を有しており、電力監視制御用電源装置２から出力される電源が喪失された場合であっても、短時間の動作を行うことが可能である。
【００７３】
その後、制御部３５は、一連のプログラムを終了する。
【００７４】
［Ｂ．電力監視制御用電源装置２の動作］
電力監視制御用電源装置２は、電力供給線４を介し電力監視制御装置３に電源電圧を供給する。電力監視制御装置３は、電力監視制御用電源装置２から供給された電源電圧を電源として動作する。電力監視制御用電源装置２の電源電圧出力部２２は、制御部２４に制御され、蓄電池等に蓄えられた電力を、電力監視制御装置３用の電圧に変換し出力する。
【００７５】
電力監視制御用電源装置２は、図５に示すプログラムに従って動作を行う。以下に電力監視制御用電源装置２の動作を図５に示すプログラムに沿って説明する。図５に示すプログラムは、制御部２４に内蔵される。図５に示すプログラムは、制御部２４により、繰り返し実行される。
【００７６】
（ステップＲ０１：電力監視制御装置３からデータＤ１を受信したかの判断を行う）
制御部２４は、電力監視制御装置３からデータＤ１を、送受信部２３が受信したかの判断を行う。データＤ１は、電力供給線４に伝送信号を重畳させた電力線搬送により、電力監視制御装置３から送信される。データＤ１は、受配電設備６の運転の状態に関する情報、受配電設備６の故障に関する情報、受配電設備６の計測値に関する情報等を含み、常時、電力監視制御装置３から送信される。
【００７７】
データＤ１を受信したと判断した場合（ステップＲ０１のＹＥＳ）、ステップＲ０２に移行する。データＤ１を受信したと判断しない場合（ステップＲ０１のＮＯ）、プログラムを終了する。
【００７８】
（ステップＲ０２：中央制御装置７にデータＤ１の送信を行う）
ステップＲ０１にてデータＤ１を受信したと判断された場合、制御部２４は、中央制御装置７に対し、送受信部２１からデータＤ１の送信を行う。制御部２４は、電力監視制御装置３から、電力線搬送用の伝送フォーマット、伝送速度にて受信したデータＤ１を、通信回線８用の伝送フォーマット、伝送速度に変換する。変換されたデータＤ１は、通信回線８を介し、中央制御装置７に送信される。
【００７９】
（ステップＲ０３：中央制御装置７からデータＤ２を受信したかの判断を行う）
次に、制御部２４は、中央制御装置７からデータＤ２を、送受信部２１が受信したかの判断を行う。データＤ２は、ステップＲ０２にて送信されたデータＤ１に応答する形で、中央制御装置７から送信される。
【００８０】
データＤ２には、中央制御装置７により判断された、受配電設備６である開閉器や遮断器の開閉を指示するコマンド等が含まれる。データＤ２は、一定時間内に中央制御装置７から送信される。
【００８１】
データＤ２を受信したと判断した場合（ステップＲ０３のＹＥＳ）、ステップＳ０４に移行する。データＤ２を受信したと判断しない場合（ステップＲ０３のＮＯ）、プログラムを終了する。
【００８２】
（ステップＲ０４：電力監視制御装置３にデータＤ２の送信を行う）
ステップＲ０３にてデータＤ２を受信したと判断された場合、制御部２４は、電力監視制御装置３に対し、送受信部２３からデータＤ２の送信を行う。制御部２４は、中央制御装置７から、通信回線８用の伝送フォーマット、伝送速度にて受信したデータＤ２を、電力線搬送用の伝送フォーマット、伝送速度に変換する。変換されたデータＤ２は、電力供給線４を介し、電力監視制御装置３に送信される。
【００８３】
その後、制御部２４は、一連のプログラムを終了する。以上が、本実施形態にかかる電力監視制御システム１の動作である。
【００８４】
［１−３．効果］
（１）本実施形態によれば、電力監視制御用電源装置２は、電力の監視を行う中央監視装置７と伝送信号の送受信を行う第１の送受信部２１と、電源電圧の供給を行う電源電圧出力部２２と、第１の送受信部２１により送受信された中央監視装置７との伝送信号に基づき、電源電圧出力部２２により供給される電源電圧に伝送信号を重畳させ、電力線搬送にて伝送信号の送受信を行う第２の送受信部２３と、を備え、電力監視制御装置３は、電力監視制御用電源装置２により電源電圧が供給され、電源電圧に重畳された伝送信号により、電力線搬送にて送受信を行う第３の送受信部３２と、第３の送受信部３２により送受信された伝送信号に基づき受配電設備６の監視制御を行う入出力部３４と、を備えるので、伝送用ケーブルの数量を軽減することができる電力監視制御システム、電力監視制御用電源装置、電力監視制御装置を提供することができる。
【００８５】
本実施形態によれば、伝送用ケーブルの数量を軽減することができるので、ケーブルの材料費のみならず、ケーブルの施工、ケーブルを敷設するためのケーブルラックやケーブルピット等の施工等にかかるコストおよび作業を軽減することができる。
【００８６】
また、本実施形態によれば、伝送用ケーブルの数量を軽減することができるので、伝送用ケーブルにおける断線等の故障頻度を軽減することができる。伝送用ケーブルの故障が発生した場合、電力監視制御装置３と中央監視装置７間の伝送を行うことができなくなり、その結果、電力監視制御装置３に対し、伝送による適切な指示を行うことができなくなるが、このような不具合の発生頻度を軽減することができる。
【００８７】
また、多数の伝送用ケーブルが用いられた場合、故障個所を特定するのに時間と手間を要するが、本実施形態によれば、伝送用ケーブルの数量を軽減することができるので、故障個所を特定する時間と手間を軽減することができる。
【００８８】
（２）本実施形態によれば、電力監視制御装置３は、供給された電源電圧の監視を行う電源監視部３３をさらに備えるので、迅速に電力監視制御装置３に供給される電源の不具合を検出することができる。電力監視制御装置３に供給される電源が喪失した場合、受配電設備６の制御を行うことができなくなるが、迅速に電力監視制御装置３に供給される電源の不具合を検出することにより、受配電設備６の制御を行うことができない時間を短縮することができる。
【００８９】
従来の電力監視制御システムにおいて、電力監視制御装置３に供給される電源は、通常の交流電力であった。電力系統の不具合により、電力監視制御装置３に供給される交流電力による電源が喪失する場合があった。このように電源の喪失が発生した場合、電力監視制御装置３は、受配電設備６に対し、適切な制御を行うことができなくなり不都合であった。本実施形態によれば、電力監視制御装置３に無停電にて電力監視制御用電源装置２から電源が供給されるので、上記のような不都合を避けるけることができる。
【００９０】
また、従来の電力監視制御システムにおいて、メンテナンス時等において、系統の遮断器が開路状態とされ、電力監視制御装置３に電源の供給が停止されてしまう場合があった。このような電源供給の停止により、電力監視制御装置３は、受配電設備６に対し、適切な制御を行うことができなくなり不都合であった。本実施形態によれば、電力監視制御装置３に無停電にて電力監視制御用電源装置２から電源が供給されるので、上記のような不都合を避けることができる。
【００９１】
さらに、本実施形態によれば、仮に電力監視制御装置３に電源が供給されなくなったとしても、供給された電源電圧の監視を行う電源監視部３３を備えるので、迅速に電力監視制御装置３に供給される電源の不具合を検出することができる。
【００９２】
［２．他の実施形態］
変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００９３】
（１）上記実施形態では、送受信部２１、２３により送受信される伝送信号は、データＤ１にかかる受配電設備６の運転状況に関する情報、データＤ２にかかる受配電設備６を制御するコマンドであるとしたが、送受信される伝送信号は、これに限られない。送受信される伝送信号は、電力監視制御に関するその他の情報であってもよい。
【００９４】
（２）上記実施形態では、中央制御装置７により送信されるデータＤ２により、受配電設備６の動作が制御されるものとしたが、受配電設備６を制御するコマンドは、これに限られない。受配電設備６を制御するコマンドは、電力監視制御装置３にて独自に作成されるものを含んでいてもよい。
【００９５】
（３）上記実施形態では、電源監視部３３が、電力供給線４の電源電圧に重畳された、データＤ２の電力線搬送にかかる伝送信号のキャリアを一定時間受信しない場合、電力監視制御用電源装置２から出力される電源が喪失されたものと判断するようにしたが、電源監視部３３が、電力監視制御用電源装置２から出力される電源電圧を監視し、電源の喪失を判断するようにしてもよい。例えば、電源監視部３３を、アナログ−デジタル変換回路等により構成し、電源監視部３３が、電力供給線４の電圧、電流または周波数を検出し、電源電圧の異常を検出するようにしてもよい。
【００９６】
または、電源監視部３３によらず、送受信部３２が、電力供給線４の電源電圧に重畳された、データＤ２の電力線搬送にかかる伝送信号を一定時間受信しない場合、電力監視制御用電源装置２から出力される電源が喪失されたものと判断するようにしてもよい。
【００９７】
（４）上記実施形態では、電力監視制御用電源装置２から出力される電源が喪失されたと判断した場合に、制御部３５は、入出力部３４から受配電設備６に対し、フェールセーフとなる指令の送信を行うものとした。しかしながら、電力監視制御用電源装置２から出力される電源が喪失されたと判断した場合の処理は、これに限られない。電力監視制御用電源装置２から出力される電源が喪失されたと判断した場合、制御部３５は、他の電源装置に切替える制御を行うようにしてもよい。
【符号の説明】
【００９８】
１・・・電力監視制御システム
２・・・電力監視制御用電源装置
３、３ａ、３ｂ、３ｎ・・・電力監視制御装置
４、４ａ、４ｂ、４ｎ・・・電力供給線
５、５ａ、５ｂ、５ｃ・・・収納盤
６、６ａ、６ｂ、６ｃ・・・受配電設備
７・・・中央制御装置
８・・・通信回線
２１・・・送受信部
２２・・・電源電圧出力部
２３・・・送受信部
２４・・・制御部
３１・・・電源部
３２・・・送受信部
３３・・・電源監視部
３４・・・入出力部
３５・・・制御部
【図１】
2019062620.tif 000003
【図２】
2019062620.tif 000004
【図３】
2019062620.tif 000005
【図４】
2019062620.tif 000006
【図５】
2019062620.tif 000007